【手続補正書】
【提出日】平成26年10月23日(2014.10.23)
【手続補正１】
【補正対象書類名】明細書
【補正対象項目名】０００６
【補正方法】変更
【補正の内容】
【０００６】
全系が小型で広画角化が容易なズームレンズとして、物体側に負の屈折力のレンズ群が位置するネガティブリード型のズームレンズが知られている。ネガティブリード型の広画角のズームレンズとして、物体側から像側へ順に、負、正、負、正の屈折力のレンズ群からなり、各レンズ群間隔を変化させてズーミングを行う４群ズームレンズが知られている。
【手続補正２】
【補正対象書類名】明細書
【補正対象項目名】００２３
【補正方法】変更
【補正の内容】
【００２３】
矢印は広角端から望遠端へのズーミングに際して、各レンズ群の移動軌跡を示している。収差図において、ｄ（ｄ−ｌｉｎｅ）、ｇ（ｇ−ｌｉｎｅ）は各々ｄ線及びｇ線、ΔＭ、ΔＳはメリディオナル像面、サジタル像面である。倍率色収差はｇ線によって表している。ωは半画角、ＦｎｏはＦナンバーである。なお、各実施例において広角端と望遠端は変倍用のレンズ群が機構上、光軸上を移動可能な範囲の両端に位置したときのズーム位置をいう。
【手続補正３】
【補正対象書類名】明細書
【補正対象項目名】００３３
【補正方法】変更
【補正の内容】
【００３３】
条件式（２）の上限を超えると、フォーカスレンズ群である第３レンズ群Ｌ３の負の屈折力が緩まりすぎて、バックフォーカスが増大するとともに、フォーカシングのための移動量も増加し、レンズ全系が大型化してしまう。一方、下限を超えると、フォーカスレンズ群である第３レンズ群Ｌ３の負の屈折力が強まりすぎて、バックフォーカスが短くなりすぎるとともに、フォーカシングによる収差変動が増大し、これの補正が困難となる。各実施例において、より好ましくは、条件式（１）、（２）の数値範囲を次の如く設定するのが良い。
【手続補正４】
【補正対象書類名】明細書
【補正対象項目名】００３８
【補正方法】変更
【補正の内容】
【００３８】
条件式（３）は、第１レンズ群Ｌ１の負の屈折力を規定している。条件式（３）の上限を超えると、第１レンズ群Ｌ１の負の屈折力が弱くなりすぎ、レンズ全長、前玉有効系が大型化してしまう。一方、下限を超えると、第１レンズ群Ｌ１の負の屈折力が強くなりすぎ、広角端において像面彎曲が増大し、この補正が困難となる。
【手続補正５】
【補正対象書類名】明細書
【補正対象項目名】００３９
【補正方法】変更
【補正の内容】
【００３９】
条件式（４）は、第２レンズ群Ｌ２の正の屈折力を規定している。条件式（４）の上限を超えると、第２レンズ群Ｌ２の正の屈折力が弱くなりすぎ、変倍のための第２レンズ群Ｌ２の移動量が長くなり、レンズ全系が大型化してしまう。一方、下限を超えると、第２レンズ群Ｌ２の正の屈折力が強くなりすぎ、変倍による球面収差、コマ収差の変動が大きくなり、これらの補正が困難となる。
【手続補正６】
【補正対象書類名】明細書
【補正対象項目名】００４０
【補正方法】変更
【補正の内容】
【００４０】
条件式（５）は、第３レンズ群Ｌ３の負の屈折力を規定している。条件式（５）の上限を超えると、第３レンズ群Ｌ３の負の屈折力が弱くなりすぎ、バックフォーカスが増大するとともに、フォーカシングのための移動量が増加し、光学系全系が大型化してしまう。一方、下限を超えると、第３レンズ群Ｌ３の負の屈折力が強くなりすぎ、バックフォーカスが短くなりすぎるとともに、フォーカシングによる収差変動が増大してくる。
【手続補正７】
【補正対象書類名】明細書
【補正対象項目名】００４１
【補正方法】変更
【補正の内容】
【００４１】
条件式（６）は、第４レンズ群Ｌ４の正の屈折力を規定している。条件式（６）の上限を超えると、第４レンズ群Ｌ４の正の屈折力が弱くなりすぎ、バックフォーカスが短くなりすぎ、射出瞳位置が像面に近づき撮像素子への軸外光線の入射角が大きくなりすぎてしまう。一方、下限を超えると、第４レンズ群Ｌ４の正の屈折力が強くなりすぎ、バックフォーカスが増大し、広角端におけるレンズ全長が大型化するので良くない。
【手続補正８】
【補正対象書類名】明細書
【補正対象項目名】００４５
【補正方法】変更
【補正の内容】
【００４５】
条件式（９）は防振用の第２ａレンズ群Ｌ２ａと第２レンズ群Ｌ２の焦点距離の比を規定している。条件式（９）の上限を超えると、第２ａレンズ群Ｌ２ａの正の屈折力が弱くなりすぎ、防振敏感度が低下することで防振の振り量が増加し、駆動系が大型化し、特にレンズ径が大型化してしまう。一方、下限を超えると、第２ａレンズ群Ｌ２ａの正の屈折力が強くなりすぎ、防振時において偏心倍率色収差、偏心コマ収差等が多く発生し、これらの補正が困難となる。各実施例において、より好ましくは条件式（３）乃至（９）の数値範囲を以下の範囲とするのがよい。
【手続補正９】
【補正対象書類名】明細書
【補正対象項目名】００６０
【補正方法】変更
【補正の内容】
【００６０】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０、Ａ１２を非球面係数とするとき、
ｘ＝（ｈ２／ｒ）／［１＋｛１−（１＋Ｋ）×（ｈ／ｒ）２｝１／２］
＋Ａ４×ｈ４＋Ａ６×ｈ６＋Ａ８×ｈ８＋Ａ１０×ｈ１０＋Ａ１２×ｈ１２
なる式で表している。
【手続補正１０】
【補正対象書類名】明細書
【補正対象項目名】００６１
【補正方法】変更
【補正の内容】
【００６１】
なお、各非球面係数における「ｅ±ＸＸ」は「×１０±ＸＸ」を意味している。また、前述の各条件式と数値実施例との関係を（表１）に示す。
【手続補正１１】
【補正対象書類名】明細書
【補正対象項目名】００６３
【補正方法】変更
【補正の内容】
【００６３】
非球面データ
第3面
K =-3.31777e-001  A 4= 2.01452e-006  A 6= 6.77677e-010  A 8= 2.59096e-011  A10=-2.53750e-013  
第10面
K = 4.83732e+000  A 4=-1.27633e-004  A 6=-3.56885e-007  A 8=-2.74186e-008  A10=-3.35246e-011  A12= 3.75036e-012  
第11面
K =-3.27806e+003  A 4=-1.04354e-005  A 6=-3.24425e-008  A 8=-3.55228e-008  A10= 2.46465e-010  A12= 1.36015e-012  
第20面
K =-6.89688e+002  A 4= 5.60844e-006  A 6=-4.92965e-007  A 8=-4.03877e-009  A10= 1.14547e-010  
各種データ
ズーム比      2.88 
広角     中間     望遠
焦点距離      18.50    36.02    53.33  
Fナンバー      3.35     4.57     5.98  
半画角（度）  36.44    20.77    14.37  
像高          13.66    13.66    13.66  
レンズ全長   102.26    88.87    97.58  
BF            20.56    20.56    20.56  
無限遠物体合焦点時
d 7           35.92     8.38     0.33  
d15            2.60     2.10     1.23  
d18            2.09     2.58     3.45  
d23            0.00    14.15    30.91  
像面から１ｍの位置の物体合焦点時
d 7           35.92     8.38     0.33  
d15            2.70     2.33     1.55  
d18            1.98     2.35     3.13  
d23            0.00    14.15    30.91  
入射瞳位置    23.96    18.56    16.16  
射出瞳位置   -10.62   -24.99   -42.09  
前側主点位置  31.49    26.10    24.09  
後側主点位置   2.06   -15.46   -32.77  
ズームレンズ群データ
群  始面    焦点距離  レンズ構成長  前側主点位置  後側主点位置
L1    1     -39.34        16.60        -0.45        -14.18
L2    8      18.29        14.50         7.44         -4.95
L3   16     -20.49         3.50         2.67          0.69
L4   19     104.51         6.50         4.16          0.12
FC   24       ∞           0.00         0.00         -0.00
単レンズデータ
レンズ  始面  焦点距離
G1       1    -32.26
G2       2   -369.58
G3       4    -62.06
G4       6     43.66
G5       8     78.07
G6      10     48.21
G7      12    -17.42
G8      13     12.04
G9      16     17.32
G10      17     -8.98
G11      19    406.56
G12      21    -16.74
G13      22     15.34
【手続補正１２】
【補正対象書類名】明細書
【補正対象項目名】００６５
【補正方法】変更
【補正の内容】
【００６５】
非球面データ
第11面
K = 1.05166e+000  A 4=-1.15232e-004  A 6=-8.72019e-007  A 8=-2.52400e-008  A10= 1.76995e-010  A12= 7.57582e-013  
第12面
K =-3.51607e+003  A 4=-6.03318e-005  A 6=-2.89476e-007  A 8=-2.78464e-008  A10= 2.32353e-010  A12= 3.41924e-013  
各種データ
ズーム比      2.90 
広角     中間     望遠
焦点距離      18.58    35.72    53.80  
Fナンバー      3.26     4.53     5.88  
半画角（度）  36.32    20.93    14.25  
像高          13.66    13.66    13.66  
レンズ全長   103.83    98.31   109.07  
BF            20.94    37.91    56.94  
無限遠物体合焦点時
d 7           33.55    11.06     2.80  
d15            5.30     3.32     1.80  
d18            3.84     5.83     7.35  
d21           20.94    37.91    56.94  
像面から１ｍの位置の物体合焦点時
d 7           33.55    11.06     2.80  
d15            5.52     3.75     2.46  
d18            3.63     5.39     6.69  
d21           20.94    37.91    56.94  
入射瞳位置    24.50    19.27    16.25  
射出瞳位置   -16.20   -17.27   -18.04  
前側主点位置  33.78    31.87    31.45  
後側主点位置   2.36     2.20     3.14  
ズームレンズ群データ
群  始面    焦点距離  レンズ構成長  前側主点位置  後側主点位置
L1    1     -35.03        17.42         3.94        -10.53
L2    8      23.00        14.78         8.27         -4.87
L3   16     -35.08         2.59         1.89          0.46
L4   19     100.00         5.40        -9.56        -11.66
単レンズデータ
レンズ  始面  焦点距離
G1       1    -35.60
G2       4    -34.38
G3       6     35.65
G4       8     76.94
G5      11     51.78
G6      13    -17.84
G7      14     14.25
G8      16     31.61
G9      17    -16.32
G10      19     15.94
G11      20    -16.80
【手続補正１３】
【補正対象書類名】明細書
【補正対象項目名】００６７
【補正方法】変更
【補正の内容】
【００６７】
非球面データ
第7面
K = 0.00000e+000  A 4=-8.20445e-006  A 6=-4.85557e-008  A 8= 1.18740e-010  
第13面
K = 0.00000e+000  A 4=-3.29655e-006  A 6= 3.35387e-007  A 8=-7.73602e-010  
第16面
K = 0.00000e+000  A 4= 3.39745e-005  A 6= 2.25152e-007  A 8=-1.22872e-009  A10= 7.03392e-012  
各種データ
ズーム比      2.95 
広角     中間     望遠
焦点距離      18.21    28.48    53.80  
Fナンバー      3.60     4.31     5.88  
半画角（度）  36.88    25.63    14.25  
像高          13.66    13.66    13.66  
レンズ全長    96.23    88.65    90.75  
BF            18.21    26.58    42.31  
無限遠物体合焦点時
d 6           32.36    16.41     2.77  
d12            2.03     3.28     7.23  
d14           13.76    12.52     8.57  
d18           18.21    26.58    42.31  
像面から１ｍの位置の物体合焦点時
d 6           32.36    16.41     2.77  
d12            2.16     3.54     7.97  
d14           13.64    12.26     7.83  
d18           18.21    26.58    42.31  
入射瞳位置    21.10    18.79    15.57  
射出瞳位置   -25.45   -24.92   -22.47  
前側主点位置  31.71    31.52    24.69  
後側主点位置  -0.00    -1.89   -11.49  
ズームレンズ群データ
群  始面    焦点距離  レンズ構成長  前側主点位置  後側主点位置
L1    1     -25.93        12.03         3.95         -5.38
L2    7      18.54        12.17         3.25         -6.35
L3   13     -26.02         1.80         0.88         -0.19
L4   15      62.85         3.87         0.51         -1.99
単レンズデータ
レンズ  始面  焦点距離
G1       1    -37.35
G2       3    -43.11
G3       5     67.68
G4       7     42.36
G5       9    -36.06
G6      10     15.98
G7      13    -26.02
G8      15    3886.22
G9      17     64.49
【表１】
2013130675.tif 000001